(57)【要約】【課題】  軽度の片麻痺等を患っている者に最適でリハビリテーションや高齢者の歩行の補助に有用な短下肢装具を提供する。【解決手段】  短下肢装具１００は、装着時に足の爪先の内側及び外側に位置する少なくとも２のホルダ部１１５、１１６を有する爪先バンド１１０と、装着時に足首の内側及び外側に位置するホルダ部１２５、１２６を有する足首バンド１２０と、前記ホルダ部１１５側と前記ホルダ部１２５側を連結する連結ベルト１３０と、前記ホルダ部側１１６と前記ホルダ部１２６側を連結する面ファスナーを有する連結ベルト１４０とからなる。連結ベルトの面ファスナーの張り合わせによる長さ調整で、装着者の足（又は靴）と脛との可動角度を調整することができる。これにより半麻痺等を患う者の歩行訓練等のリハビリテーションの効果が高まる。高齢者等が装着すれば、転倒事故を未然に防ぐこともできる。【選択図】  図１
0003217189.tif 000002
【実用新案登録請求の範囲】
【請求項１】
爪先部分に挿着され、装着時に当該爪先の内側及び外側に位置する少なくとも２の連結部を有する爪先装着部と、
足首に装着され、装着時に当該足首の内側及び外側に位置する少なくとも２の連結部を有する足首装着部と、
前記爪先装着部の内側の連結部と、前記足首装着部の内側の連結部とを繋ぐための第１の連結手段と、
前記爪先装着部の外側の連結部と、前記足首装着部の外側の連結部とを繋ぐための第２の連結手段とからなり、
前記第１の連結手段及び前記第２の連結手段は、それぞれ面ファスナーを有するベルトによって構成され、
前記爪先装着部の前記内側の連結部と前記足首装着部の前記内側の連結部との長さ、及び、前記爪先装着部の前記外側の連結部と前記足首装着部の前記外側の連結部との長さが前記面ファスナーの張り合わせによって調整可能となっていることを特徴とする短下肢装具。
【請求項２】
前記爪先装着部は、装着時に前記内側の連結部が、装着時に足の親指の付け根の位置に、前記外側の連結具が、装着時に足の小指の付け根の位置となるように取り付けられていることを特徴とする請求項１に記載の短下肢装具。
【請求項３】
前記足首装着部の本体部の幅は略３ｃｍに形成されると共に、
前記足首装着部の前記連結部は、横幅が略２．５ｃｍで爪先側が湾曲したＤの字型の連結リングによって構成され、
前記足首装着部には、これが装着される足首に合わせた長さが略２０ｃｍ、幅が略４ｃｍの脛当て部が設けられ、
前記爪先装着部を構成するベルトの幅は略２．５ｃｍに形成され、
前記爪先装着部の前記連結部は、横幅が略３ｃｍのロの字型の連結リングによって構成され、
前記第１、第２の連結手段を構成するベルトの幅は、前記爪先装着部のロの字型の連結リングの内側の幅に形成され、装着時、該ベルトが、前記足首装着部の連結リングの湾曲に沿うようになっていることを特徴とする請求項１又は請求項２に記載の短下肢装具。
【請求項４】
爪先部分に挿着され、装着時に当該爪先の内側及び外側に位置する少なくとも２の連結部を有する爪先装着部と、
足首に装着され、装着時に当該足首の前側に位置する連結部を有する足首装着部と、
前記爪先装着部の内側の連結部と、前記足首装着部の連結部とを繋ぐための第１の連結手段と、
前記爪先装着部の外側の連結部と、前記足首装着部の連結部とを繋ぐための第２の連結手段とからなり、
前記第１の連結手段及び前記第２の連結手段は、それぞれ面ファスナーを有するベルトによって構成され、
前記爪先装着部の前記内側の連結部と前記足首装着部の前記連結部との長さ、及び、前記爪先装着部の前記外側の連結部と前記足首装着部の前記連結部との長さが前記面ファスナーの張り合わせによって調整可能となっていることを特徴とする短下肢装具。
【請求項５】
靴の爪先部分の内側及び外側に固定される少なくとも２の連結部と、
足首に装着され、装着時に当該足首の内側及び外側に位置する少なくとも２の連結部を有する足首装着部と、
靴の爪先部分の内側に固定された前記連結部と前記足首装着部の内側の前記連結部とを連結するための第１の連結手段と、
靴の爪先部分の外側に固定された前記連結部と前記足首装着部の外側の前記連結部とを連結するための第２の連結手段とからなり、
前記第１の連結手段及び前記第２の連結手段は、それぞれ面ファスナーを有するベルトによって構成され、
前記靴の爪先部分の前記内側の連結部と前記足首装着部の前記内側の連結部との長さ、及び、前記靴の爪先部分の前記外側の連結部と前記足首装着部の前記外側の連結部との長さが前記面ファスナーの張り合わせによって調整可能となっていることを特徴とする短下肢装具。
【請求項６】
前記靴に固定される前記２つの連結部は、靴の甲の部分に取り付けられる爪先装着部に予め固定され、
該爪先装着部は、靴の甲の部分に接着剤による取付け又は糸による縫い付けで固定されていることを特徴とする請求項５に記載の短下肢装具。
【請求項７】
前記足首装着部の本体部の幅は略３ｃｍに形成されると共に、
前記足首装着部の前記連結部は、横幅が略２．５ｃｍで爪先側が湾曲したＤの字型の連結リングによって構成され、
前記足首装着部には、これが装着される足首に合わせた長さが略２０ｃｍ、幅が略４ｃｍの脛当て部が設けられ、
前記靴の爪先部分の前記連結部は、横幅が略３ｃｍのロの字型の連結リングによって構成され、
前記第１、第２の連結手段を構成するベルトの幅は、前記爪先部分のロの字型の連結リングの内側の幅に形成され、装着時、該ベルトが、前記足首装着部の連結リングの湾曲に沿うようになっていることを特徴とする請求項５に記載の短下肢装具。
【考案の詳細な説明】
【技術分野】
【０００１】
本考案は、短下肢装具に関し、特に軽度の片麻痺を患う者の歩行訓練等のリハビリテーション、更には高齢者の歩行の補助に用いて最適な短下肢装具に関する。
【背景技術】
【０００２】
脳溢血、脳梗塞等の脳血管疾患になると片麻痺や抹消神経麻痺が生じ、半身を自由に動かすことができない障害が残ることが知られている。
障害を負った者は、健常者の場合にと異なり、足の爪先が垂れ下がったり（垂下足）、その垂れ下がった足の甲が外側に下がる（内反尖足）等の症状が残るため、たとえ麻痺が軽度であっても歩行障害（例えば、僅かな段差につまずく等）を来すことになる。
このため、従来より、脳血管疾患の者の歩行を補助し、リハビリテーションに有用な下肢装具が、数々提案されている。
【０００３】
従来より提案されている短下肢装具としては、足の両側に金属の支柱をつけて、装着者の下腿部（脛）と足の裏の角度を一定に保持する金属支柱付きの短下肢装具が提案されている。このような短下肢装具は、麻痺が重い人に有用なものである。
【０００４】
一方で、麻痺が比較的軽度な者のための樹脂製の短下肢装具も提案されている。
図１８に、一般的に用いられている樹脂製の短下肢装具１０を示す。
短下肢装具１０は、足の裏側より支える足底板部１１と、脹ら脛を後ろから支える脹ら脛受け部１２とからなり、前記足底板部１１には、装着者の足１の甲を固定する装着ベルト１３が、前記脹ら脛受け部１２には、装着者の足１の脹ら脛を固定する装着ベルト１４，１５，１６が設けられている（図１８（Ａ））。この従来の樹脂製の短下肢装具１０では、足底板部１１と脹ら脛受け部１２とが一体に成形される。
前記装着ベルト１４，１５，１６には、面ファスナー１４Ａ，１４Ｂ、１５Ａ，１５Ｂ、１６Ａ，１６Ｂが設けられ（図１８（Ｂ））、装着時に、足の甲１Ａを装着ベルト１３に通し、足裏を足底板部１１に載せ、脹ら脛を脹ら脛受け部１２に密着させた状態で、装着ベルト１４，１５，１６を設け取付リング１２Ａ，１２Ｂ，１２Ｃにそれぞれ通し、これら装着ベルト１４，１５，１６を締め付けて面ファスナー１４Ａ，１４Ｂ、１５Ａ，１５Ｂ、１６Ａ，１６Ｂにより固定するようになっている（図１８（Ｂ）、（Ｃ））。
【０００５】
この樹脂製の短下肢装具１０によって、装着者の足の裏（甲）と脛（下腿部）を固定し、こららの間の角度を所望の角度に保持することができ、片麻痺等を患った者の垂下足が矯正される。また、装着者の足の裏を装着ベルト１３で足底板部１１に全面で密着固定するため、内反尖足や外反尖足も矯正することができる。
【０００６】
ところで、軽度の麻痺を患う者に有用な上記樹脂製の短下肢装具１０は、金属支柱付きの短下肢装具に比べ軽量で装着し易いという利点があるが、図１８に示すように装着者の足１と密着する部分が多いため、通気性が悪いという不具合がある。
【０００７】
また、樹脂製の短下肢装具１０は、足の裏と、脛（下腿部）との角度が固定されるため、障害を有する装着者が、歩行訓練等のリハビリテーションを行うには不向きである。すなわち、短下肢装具１０は、足首関節を固定し、底屈動作と背屈動作の双方が阻止されてしまうため、装着時、装着者の足首の関節がほとんど動かず、歩行訓練に適さない。
【０００８】
因みに、前述した麻痺の程度が重い者用の、従来の金属支柱付きの短下肢装具にあっては、足首のジョイント部分で角度の調整が可能なものもあるが、一端調整されると、装着時、その角度が保持されるため、これも歩行訓練等のリハビリテーションに不向きである。
【０００９】
近年は、足の裏（又は甲）と脛（下腿部）との角度を適宜調整可能にし、リハビリテーションに有用な短下肢装具も提案されている。
特開平９−１０３４４３号公報は、歩行時における足首の底屈動作と背屈動作を可能とする短下肢装具を提案している。
この文献が示す短下肢装具では、足底板部と下腿装着部とが揺動可能に連結され、下腿装着部の背の縦方向にスプリングが設けられている。
また、足底板部の踵部に取り付けられたスライダーによってスプリングを押圧可能に構成されているため、足首が底屈方向に動くと、スライダーがスプリングを押し縮め、このスプリングの弾性復元力によって、底屈方向の動きが抑制されることになる。
【００１０】
しかし、短下肢装具は歩行時の体重を最も受ける装具であるところ、特許文献１の短下肢装具では、足の裏と脛（下腿部）との角度調整を可能にする構成のため、足底部（図１８の足底板部に相当）と脹脛添体（脹ら脛受け部に相当する部分）が分割されていることから、強度不足をきたし、使用を長期に亘って継続すると、形状変形や破断が生ずる虞れもある。
【００１１】
特開２０１１−９８０１４号公報には、下腿部に装着される下腿部材（脹ら脛受け部に相当）、足底に装着される足部材（足底板部に相当）、ワンウェイダンパ（ダンパー）および連結機構を備えた短下肢装具が開示されている。
この従来例では、連結機構に取り付けられたガイドブロックとリンクが備えられ、また、短下肢装具が装着されたときに装着者の前後方向に伸びるガイドレールを有している。
リンクはその下端が足部材（足底板部）に固定されており、上端がガイドレールにスライド可能に係合されている。
【００１２】
この連結機構により、足底板部の揺動に連動してガイドレールに係合しているリンクが、ガイドブロックを下腿の長手方向に沿って直線的に動き、下腿部材（脹ら脛受け部に相当）に固定されているダンパーが機能し、踵が地面に設置した後の足の底屈動作を補助することが可能となる。
【先行技術文献】
【特許文献】
【００１３】
【特許文献１】特開平９−１０３４４３号公報
【００１４】
【特許文献２】特開２０１１−９８０１４号公報
【考案の概要】
【考案が解決しようとする課題】
【００１５】
上述した従来の一般的な短下肢装具（図１８）や特許文献１、２に開示されている何れの短下肢装具も、麻痺を患った者の足の裏を足底板部に載せ、脹ら脛を脹ら脛受け部に当接させて密着し、この状態で足の裏（又は甲）と脛（下腿部）を固定するという基本構造をとっている。
このため足の裏と足の脛（下腿部）の角度を歩行時に、装着者の意思に従って自由に調整することができない構成であったり、角度を調整するために複雑なリンク機構を備える構造となっていた。
【００１６】
ところで、軽度の麻痺を患う者のリハビリテーションに適した短下肢装具に要求されるのは、下垂足、内反尖足、外反尖足等を矯正することである。
すなわち、足の爪先が垂れ下がったり、足の甲が内・外側に反ることさえ防止できれば、爪先を上げる動作（背屈動作）に関しては、装着者が自分の意思で行うことができる構成であることが望ましい。
しかるに、図１８に示す構造の従来の短下肢装具では、装着者の意思により、その都度、足の裏（又は甲）と脛（下腿部）との角度を自在に調整できない構造であるため、リハビリテーションの効果が期待できない。
【００１７】
また、上記特許文献１，２で示すような角度を調整できる機構を有する短下肢装具でも、その構造が複雑であるため、短下肢装具の軽量化を図ることが困難である。また、構造が複雑となる分、耐久性が低下するという不具合もある。
更に、上述したように樹脂製の短下肢装具で軽量化を図ったとしても、装着者の足（足の裏、脹ら脛）との当接面が広いため、特に夏場では、汗が気になり快適性が損なわれる。
【００１８】
また、上記した従来の樹脂製の短下肢装具は何れも、これを装着したまま靴を履くことが困難であるという欠点もある。
樹脂製の短下肢装具を付けた状態のまま履くことが可能な特殊な靴も提案されているが、装着者の靴の選択の幅が狭まり、装着者が、好みの靴を自由に選択できないという不満もある。
【００１９】
また、従来の樹脂製の短下肢装具は、装着者の足から脛（下腿部）にかけての、個々人の足の形状に合わせて製作されるため、製作に相当の期間がかかり、また、オーダーメードであるため高価とならざるを得ず麻痺を患った者にとって経済的な負担となる。
また、従来の樹脂製の短下肢装具は、樹脂製であるため経時劣化が生じ、耐久性に問題も生ずる。
【００２０】
一方で、片麻痺が軽度の者の下垂足や、内反尖足等を矯正するため、サポーターや、テーピングを施すことも提案されているが、これらサポーターや、テーピングを用いて矯正する手法でも、足の裏と脛（下腿部）との角度が固定されるため、片麻痺等を患った者のリハビリテーションには不向きである。
【００２１】
本考案は、かかる事情に鑑みてなされたもので、下垂足、内反尖足等を矯正しつつ、歩行訓練等のリハビリテーション時に、背屈運動の自由度を確保し、適正な歩行を支援する短下肢装具を、市販の靴を足底板部として機能させることで、安価で達成し、しかも経年劣化を気にすることのなく、極限まで軽量化された短下肢装具を提供することを目的とする。
【課題を解決するための手段】
【００２２】
上記の目的を達成するため本願の第１の考案の短下肢装具は、爪先部分に挿着され、装着時に当該爪先の内側及び外側に位置する少なくとも２の連結部を有する爪先装着部と、足首に装着され、装着時に当該足首の内側及び外側に位置する少なくとも２の連結部を有する足首装着部と、前記爪先装着部の内側の連結部と、前記足首装着部の内側の連結部とを繋ぐための第１の連結手段と、前記爪先装着部の外側の連結部と、前記足首装着部の外側の連結部とを繋ぐための第２の連結手段とからなり、前記第１の連結手段及び前記第２の連結手段は、それぞれ面ファスナーを有するベルトによって構成され、前記爪先装着部の前記内側の連結部と前記足首装着部の前記内側の連結部との長さ、及び、前記爪先装着部の前記外側の連結部と前記足首装着部の前記外側の連結部との長さが前記面ファスナーの張り合わせによって調整可能となっている。
【００２３】
また、本願の第２の考案の短下肢装具は、第１の考案の前記爪先装着部は、装着時に前記内側の連結部が、装着時に足の親指の付け根の位置に、前記外側の連結具が、装着時に足の小指の付け根の位置となるように取り付けられている。
【００２４】
また、本願の第３の考案の短下肢装具は、第１又は第２の考案の短下肢装具において、前記足首装着部の本体部の幅は略３ｃｍに形成されると共に、前記足首装着部の前記連結部は、横幅が略２．５ｃｍで爪先側が湾曲したＤの字型の連結リングによって構成され、前記足首装着部には、これが装着される足首に合わせた長さが略２０ｃｍ、幅が略４ｃｍの脛当て部が設けられ、前記爪先装着部を構成するベルトの幅は略２．５ｃｍに形成され、前記爪先装着部の前記連結部は、横幅が略３ｃｍのロの字型の連結リングによって構成され、前記第１、第２の連結手段を構成するベルトの幅は、前記爪先装着部のロの字型の連結リングの内側の幅に形成され、装着時、該ベルトが、前記足首装着部の連結リングの湾曲に沿うようになっている。
【００２５】
また、本願の第４の考案の短下肢装具は、爪先部分に挿着され、装着時に当該爪先の内側及び外側に位置する少なくとも２の連結部を有する爪先装着部と、足首に装着され、装着時に当該足首の前側に位置する連結部を有する足首装着部と、前記爪先装着部の内側の連結部と、前記足首装着部の連結部とを繋ぐための第１の連結手段と、前記爪先装着部の外側の連結部と、前記足首装着部の連結部とを繋ぐための第２の連結手段とからなり、前記第１の連結手段及び前記第２の連結手段は、それぞれ面ファスナーを有するベルトによって構成され、前記爪先装着部の前記内側の連結部と前記足首装着部の前記連結部との長さ、及び、前記爪先装着部の前記外側の連結部と前記足首装着部の前記連結部との長さが前記面ファスナーの張り合わせによって調整可能となっている。
【００２６】
また、本願の第５の考案の短下肢装具は、靴の爪先部分の内側及び外側に固定される少なくとも２の連結部と、足首に装着され、装着時に当該足首の内側及び外側に位置する少なくとも２の連結部を有する足首装着部と、靴の爪先部分の内側に固定された前記連結部と前記足首装着部の内側の前記連結部とを連結するための第１の連結手段と、靴の爪先部分の外側に固定された前記連結部と前記足首装着部の外側の前記連結部とを連結するための第２の連結手段とからなり、前記第１の連結手段及び前記第２の連結手段は、それぞれ面ファスナーを有するベルトによって構成され、前記靴の爪先部分の前記内側の連結部と前記足首装着部の前記内側の連結部との長さ、及び、前記靴の爪先部分の前記外側の連結部と前記足首装着部の前記外側の連結部との長さが前記面ファスナーの張り合わせによって調整可能となっている。
【００２７】
また、本願の第６の考案の短下肢装具は、第５の考案の短下肢装具において、前記靴に固定される前記２つの連結部は、靴の甲の部分に取り付けられる爪先装着部に予め固定され、該爪先装着部は、靴の甲の部分に接着剤による取付け又は糸による縫い付けで固定されるものである。
また、本願の第７の考案の短下肢装具は、第５の考案の短下肢装具において、前記足首装着部の本体部の幅は略３ｃｍに形成されると共に、前記足首装着部の前記連結部は、横幅が略２．５ｃｍで爪先側が湾曲したＤの字型の連結リングによって構成され、前記足首装着部には、これが装着される足首に合わせた長さが略２０ｃｍ、幅が略４ｃｍの脛当て部が設けられ、前記靴の爪先部分の前記連結部は、横幅が略３ｃｍのロの字型の連結リングによって構成され、前記第１、第２の連結手段を構成するベルトの幅は、前記爪先部分のロの字型の連結リングの内側の幅に形成され、装着時、該ベルトが、前記足首装着部の連結リングの湾曲に沿うようになっている。
【考案の効果】
【００２８】
本願の第１の考案によれば、爪先装着部が、装着者が履く市販の靴と協働して、従来、必須とされていた足底板部として機能するので、安価、軽量化、耐久性に優れた短下肢装具を提供することができる。
また、内側の連結に用いられる第１の連結手段と、外側の連結に用いられる第２の連結手段とにより、爪先装着部の内側と足首装着部の内側の長さ、爪先装着部の外側と足首装着部の外側の長さを別々に調整できるので、下垂足、内反尖足等を適宜矯正することができる。
また、面ファスナーを用いているので、簡単に、かつ、適宜、前記爪先装着部の前記内側の連結部と前記足首装着部の前記内側の連結部との長さ、及び、前記爪先装着部の前記外側の連結部と前記足首装着部の前記外側の連結部との長さを調整することができる。
【００２９】
また、本願の第２の考案によれば、足首と、足の親指付け根付近、足の小指の付け根付近の少なくとも３箇所で、足首（脛）と足の甲とを連結できるため、装着者の下垂足や内反尖足等を、確実に、安定した状態で矯正できる。
特に、装着者が靴を履いた状態で第２の考案の短下肢装具を装着すると、靴の上から足の親指付け根付近、小指付け根付近で足の裏（又は甲）を確実に支えつつ、支えられた足の裏（又は甲）を足首に固定できるので、足の裏を載せる足裏板部等を必要としない簡易な短下肢装具とすることができる。
【００３０】
また、本願の第３の考案によれば、足首には、幅が太い（略４ｃｍ）脛当て部が当てられ、その上から足首装着部のベルト（略３ｃｍ）で締め付けるので、足首への負担が軽減される。また、第１、第２の連結手段を構成するベルトが、爪先装着部の連結リングの内側の幅（略３ｃｍ）に合わせた太さとなっているため、ぐらつきがなく安定して足首を固定することができる。また、装着時、前記ベルトが、足首装着部側のＤの字型の連結リングの湾曲に沿って丸みを帯びるため、ベルトの中心と、Ｄの字型のリングの中心とが合ったままリング内で滑るので長さ調整が容易になる。
このような構成は、装着者が履く市販の靴と協働して、従来必須とされていた足底板部として機能するので、安価、軽量化、耐久性に優れた短下肢装具を提供することができる。
また、爪先装着部と足首装着部と間の長さを、足の内側と外側とで別々に調整できるので、下垂足、内反尖足等を適宜矯正することができる。
【００３１】
また、本願の第４の考案によれば、面ファスナーにより、連結ベルトの長さを自由に調整できるため、爪先装着部の内側と足首装着部との間の長さ、爪先装着部の外側と足首装着部と間の長さを、簡単に、しかも自在に調整することができ、下垂足、内反尖足等の矯正を症状に併せて、適宜行うことができる。
【００３２】
また、本願の第５の考案によれば、装着者が履く靴に、予め連結部を付けておき、あとは足首装着部と連結手段のみで、簡易な短下肢装具を実現することができる。
また、本願の第６の考案によれば、前記連結部を、靴の甲の部分に接着剤により取付け及び／又は糸による縫い付けられる爪先装着部に固定しておき、該爪先装着部を、靴に固定するので、短下肢装具を用いた装着者の、靴の履き心地が良くなる。
また、本願の第７の考案によれば、足首には、幅が太い（略４ｃｍ）脛当て部が当てられ、その上から足首装着部のベルト（略３ｃｍ）で締め付けるので、足首への負担が軽減される。また、第１、第２の連結手段を構成するベルトが、爪先装着部の連結リングの内側の幅（略３ｃｍ）に合わせた太さとなっているため、ぐらつきがなく安定して足首を固定することができる。また、装着時、前記ベルトが、足首装着部側のＤの字型の連結リングの湾曲に沿って丸みを帯びるため、ベルトの中心と、Ｄの字型のリングの中心とが合ったままリング内で滑るので長さ調整が容易になる。
このような構成は、装着者が履く市販の靴と協働して、従来必須とされていた足底板部として機能するので、安価、軽量化、耐久性に優れた短下肢装具を提供することができる。
また、爪先装着部と足首装着部と間の長さを、足の内側と外側とで別々に調整できるので、下垂足、内反尖足等を適宜矯正することができる。
【考案を実施するための形態】
【００３３】
以下、本考案の第１の実施の形態について、図１から図７を用いて説明する。
図１（Ａ）、（Ｂ）は、本考案に係る短下肢装具１００を示す斜視図である。
この図１に示すように短下肢装具１００は、爪先バンド（爪先装着部）１１０、足首バンド（足首装着部）１２０、一対の連結ベルト（連結手段）１３０，１４０とによって構成されている。
ここで、前記爪先バンド１１０は靴２の爪先部分に、前記足首バンド１２０は装着者の足１の足首に装着される。
【００３４】
爪先バンド１１０の本体部１１１には、爪先への装着時に、足の内側の所定部位（親指の付け根に対応する位置）にホルダ部１１５が、足の外側の所定部位（小指の付け根に対応する位置）にホルダ部１１６が、それぞれ位置するように取付られており、これらホルダ部１１５、１１６に連結リング１１５Ａ、１１６Ａが設けられている。
一方、足首バンド１２０の本体部（足首バンド本体部）１２１には、装着時に、脛（下腿部）の内側にホルダ部１２５が、脛（下腿部）の外側にホルダ部１２６が位置するように取付られており、これらホルダ部１２５、１２６に連結リング１２５Ａ、１２６Ａが設けられている。
【００３５】
連結ベルト１３０，１４０は、前記爪先バンド１１０の連結リング１１５Ａ、１１６Ａと、前記足首バンド１２０の連結リング１２５Ａ、１２６Ａとをそれぞれ連結するものである。
連結ベルト１３０，１４０の一方の面には、後述するように（図２）、面ファスナーが貼り付けられており、連結リング１１５Ａ、１１６Ａと連結リング１２５Ａ、１２６Ａとの間の長さが自在に調整できるようになっている。
【００３６】
次に、図２を用いて、短下肢装具１００を構成する爪先バンド１１０、足首バンド１２０、連結ベルト１３０，１４０の形状について説明する。
爪先バンド１１０は、例えば、合成皮革からなる本体部１１１の両端部を取付具（例えば、リベット）１１０Ｂで固定して環状に形成され、装着時、前記取付具１１０Ｂが、装着者の足１の甲又は靴２の甲の中央に位置することを想定してホルダ部１１５、１１６の位置決めがなされている。
【００３７】
具体的には、図３（Ａ）、（Ｂ）に示すように、爪先バンド１１０の装着時、ホルダ部１１５が装着者の靴２の甲の内側部分２Ｄ（親指の付け根に対応する位置）に、ホルダ部１１６が甲の外側部分２Ｅ（小指の付け根に対応する位置）となるように、取付具１１５Ｂ、１１６Ｂによって固定されている。
このホルダ部１１５、１１６に設けられている連結リング１１５Ａ、１１６Ａ（図２）には、短下肢装具１００の装着の際、連結ベルト１３０，１４０が挿通される（図１参照）。
なお、ホルダ部１１５、１１６は、爪先バンド１１０の本体部１１１に、例えばリベット（取付具）１１５Ｂ、１１６Ｂによってかしめ付けされており、このホルダ部１１５、１１６が爪先バンド１１０の本体部１１１に対して回動自在となっている。
【００３８】
この実施の形態の爪先バンド１１０は、その本体部１１１の長さが２６ｃｍ、幅が２．５ｃｍ、取付具１１５Ｂ −１１６Ｂ間が９ｃｍ、ホルダ部１１５、１１６ｂの連結ベルト１３０，１４０方向の長さが３ｃｍ、連結リング１１５Ａ、１１６Ａの横幅が３ｃｍとなっている。
足首バンド１２０は、図２に示すように、足首バンド本体部１２１と、これに固定された脛当て部１２７とによって構成されている。
このうち足首バンド本体部１２１の中央から一方の端部１２１Ａ寄りに位置には、面ファスナー１２３，１２４が縫い付けられている。
足首バンド本体部１２１の他方の端部１２２には、足首への装着時に、前記端部１２１Ａが挿入される四角リング１２２が取り付けられている。
【００３９】
また、足首バンド本体部１２１の中央から端部１２２寄りの位置には、ホルダ部１２５、１２６が取付具１２５Ｂ、１２６Ｂによって取り付けられている。取付具１２５Ｂ、１２６Ｂによる取付により、これらホルダ部１２５、１２６は当該足首バンド本体部１２１に対し回動自在となる。これらホルダ部１２５、１２６には連結リング１２５Ａ、１２６Ａが取り付けられている。
【００４０】
この足首バンド１２０は、装着時、前記連結リング１２５Ａ、１２６Ａが前述した爪先バンド１１０の連結リング１１５Ａ、１１６Ａと、連結ベルト１３０，１４０によって、それぞれ連結され、装着者の脛（下腿部）と足の裏（甲）の角度を、所望の角度より広がらないように、当該連結ベルト１３０，１４０で調整できるようになっている。
【００４１】
なお、この実施の形態の足首バンド１２０は、その本体部１２１の長さが２９ｃｍ、幅が３ｃｍ、取付具１２５Ｂ −１２６Ｂ間が７ｃｍ、ホルダ部１２５、１２６ｂの連結ベルト１３０，１４０方向の長さが２．５ｃｍ、連結リング１２５Ａ、１２６Ａの横幅が２．５ｃｍ、脛当て部１２７の幅が４ｃｍ、長さが２０ｃｍとなっている。
【００４２】
連結ベルト１３０、１４０は、図２に示すように、本体部１３１，１４１にそれぞれ縫い付けられた面ファスナー１３３，１３４、面ファスナー１４３，１４４によって、詳細は後述するように短下肢装具１００の装着時の長さ調整が可能となっている。
短下肢装具１００の装着時には、この連結ベルト１３０，１４０の長さを適宜調整して、低屈動作を制限すべく、装着者の足の裏（又は甲）と脛（下腿部）との可動角度を制限する（このとき、背屈動作は制限されない）。
【００４３】
ところで、靴２を履いたとき、靴底は、当該インソールが足の裏と密着するので、靴２を履いたまま短下肢装具１００を装着した場合には、この靴２（靴底）がそのまま、従来の短下肢装具の足底板部（図１８参照）として機能することになる。
すなわち、短下肢装具１００は、２つのバンド（爪先バンド１１０、足首バンド１２０）と、これらを連結するための２つのベルト（連結ベルト１３０，１４０）が、市販されている靴２と協働して、従来の短下肢装具と同様に下垂足、内反尖足を矯正しつつ、背屈動作を制限しないようになるため、従来の短下肢装具より極めて簡単な構成で、しかも極めて軽量化を図りつつ、優れたリハビリテーション効果を奏することができる（低屈動作を制限しつつ、背屈動作の自由度は確保する）。
【００４４】
図４（Ａ）〜（Ｃ）は、足首バンド１２０の、足首への装着方法を示す図である。
この図４に示すように、足首バンド１２０を装着者の足首に装着するに際しては、脛当て部１２７側を足首に当てた状態（図４（Ａ））で、足首バンド本体部１２１の端部１２１Ａを四角リング１２２に挿入して引っ張り（図４（Ｂ））、脛当て部１２７をしっかりと足首に巻き付け、足首バンド本体部１２１の面ファスナー１２３，１２４により、確実に足首に装着することができる（図４（Ｃ））。
【００４５】
図５（Ａ）〜（Ｅ）は、靴２の爪先部分に装着された爪先バンド１１０と、装着者の足首に装着された足首バンド１２０とを、連結ベルト１３０，１４０を用いて連結する方法を示す図である。
この図５では、連結ベルト１４０の取付のみ説明し、これと同様の手順で取り付けられる連結ベルト１３０の取付については、その説明を省略する。
【００４６】
連結ベルト１４０を用いて爪先バンド１１０と足首バンド１２０とを連結するに当たっては、足の裏と脛（下腿部）とを所望の角度に保持したまま、まず、連結ベルト１４０の一方の端部１４１Ａを、ホルダ部１２６の連結リング１２６Ａに通し、更に、爪先バンド１１０側の連結リング１１６Ａに通す（図５（Ａ））。
【００４７】
次いで、連結ベルト１４０の他方の端部１４１Ｂ側を折り返し（図５（Ｂ））、更に、連結ベルト１４０の端部１４１Ａを、他方の端部１４１Ｂに取り付けられた四角リング１４２に通して折り返し（図５（Ｃ））、この状態から当該端部１４１Ｂを十分に引っ張って（図５（Ｄ））、面ファスナー１４４と、面ファスナー１４３とを密着させる（図５（Ｅ））。
【００４８】
装着者の足の裏と脛（下腿部）とを所望の角度に保持したまま、連結ベルト１４０の端部１４１Ａを十分に引っ張り、面ファスナー１４３，１４４を互いに接着させることで、当該所望の角度をそのまま保持することができる。
【００４９】
これにより装着者の足首の角度が、上記所望の角度より広がらないようにして低屈動作を制限することができる。また、連結ベルト１３０，１４０は、柔軟性のある合成皮革で形成されているため、背屈動作に関しては制限せず、装着者の意思で自由に動かすことができる。このように背屈動作を制限しないことで、軽度の麻痺を患った者のリハビリテーションを効率よく行うことができる。
【００５０】
図６、図７は、この実施の形態の短下肢装具１００による作用効果を説明するための図である。
図６（Ａ）に示すように、軽度の麻痺を患った者は、その爪先が下垂することがあるが（下垂足）、靴２を履いた状態で短下肢装具１００を装着すると、連結ベルト１３０，１４０の作用によって、靴２と足１の脛（下腿部）とが所望の角度以上に広がらないようにすることができる（低屈動作の制限）。
一方、連結ベルト１３０，１４０は、合成皮革のような柔軟な部材で形成されるため、靴底と脛（下腿部）との角度が狭まる方向（爪先を上げる方向）の動き（背屈動作）は、装着者の意思に応じて自在となる。
【００５１】
また、短下肢装具１００を装着して歩行を行った場合、図６（Ｂ）に示すように、爪先の下垂が回避され、一方で、装着者の意思によって爪先側を引き上げることが可能なため、歩行時に段差等で躓くこともなくなる。
【００５２】
この短下肢装具１００による効果は、高齢者の歩行を補助する際にも同様に発揮される。すなわち、高齢者等は、歩行時に爪先が自己のイメージよりも上がりきらなく、僅かな段差で躓くことがある。よって、高齢者等が、この実施の形態の短下肢装具１００を、左右両方の足に装着すれば、当該歩行動作を補助し、高齢者等の転倒事故を未然に防止することもできる。
【００５３】
ところで、片麻痺等を患った者は、足の甲が外側（又は内側）に向かって下がる内反尖足（又は外反尖足）を生ずることがあるが、足の内側に位置する連結ベルト１３０の長さ（連結リング１１５Ａ−連結リング１２５Ａ間の長さ）と、外側に位置する連結ベルト１４０の長さ（連結リング１１６Ａ−連結リング１２６Ａ間の長さ）とを適宜調整することで、この内反／外反を矯正することもできる（図７には、内反した場合を示す）。
【００５４】
以上説明したように、この第１の実施の形態の短下肢装具１００によれば、爪先バンド１１０、足首バンド１２０、連結ベルト１３０，１４０を靴２を履いたまま装着するだけで、足の裏（靴の底）と脛（下腿部）との角度が所望の角度より広がらないよう制御でき、下垂足等を矯正することができる。また、連結ベルト１３０，１４０による連結の長さを、足の内側、外側で、それぞれ別個に調整することで、内反尖足（又は外反尖足）を併せて矯正することができる。
【００５５】
また、短下肢装具１００は、足の裏（靴底）と脛（下腿部）との角度が狭まる側（爪先を上げる側）には自由に動かすことができるので、片麻痺等を患った者の、歩行訓練等のリハビリテーションに特に有用である。
【００５６】
また、短下肢装具１００を構成する部材が、合成皮革からなる爪先バンド１１０、足首バンド１２０、連結ベルト１３０，１４０及びこれらに付属するホルダ部、面ファスナーだけであるため、極めて軽量であり経時劣化もなく耐久性にも優れる。
【００５７】
更に、足首バンド１２０、連結ベルト１３０，１４０等の長さが、面ファスナーによって自在に調整できるため、装着者は、短下肢装具をオーダーメードで製造する必要もなく、また、市販の靴に、従来の短下肢装具の足底板部としての機能を果たさせることができるため、短下肢装具を安価に提供でき、経済的な負担も軽減できる。
【００５８】
次に、本考案の第２の実施の形態について、図８及び図９を用いて説明する。
この第２の実施の形態の短下肢装具２００は、装着者の爪先側（甲の側）と足首側とを連結する連結ベルト２３０，２４０が、足首バンド２２０側に取付具２２５Ｂ，２２６Ｂ（図８には、連結ベルト２４０側の取付具２２６Ｂのみ現れている。）によって固定されていることが、上述の第１の実施の形態の短下肢装具１００と異なる。
【００５９】
この第２の実施の形態では、足首バンド２２０に取付具２２５Ｂ、２２６Ｂで固定された連結ベルト２３０，２４０の端部２３１Ａ、２４１Ａ（図９）を、爪先バンド２１０側の連結リング２１５Ａ、２１６Ａに挿通させ（図８Ａ）、この端部２３１Ａ、２４１Ａを十分に引っ張って、面ファスナー２３３，２３４、面ファスナー２４３，２４４により密着させ（図８には、連結ベルト２４０側のみ図示）、当該連結ベルト２３０，２４０で、足の裏と脛（下腿部）との角度を所望の角度に固定することができる（図８（Ｂ））。
これにより装着者の低屈動作を制限しつつ、背屈動作を装着者の意思に応じて自在にすることができる。
【００６０】
次に、本考案の第３の実施の形態について、図１０及び図１１を用いて説明する。
この第３の実施の形態の短下肢装具３００は、装着者の足首側と爪先側（甲の側）とを連結する連結ベルト３３０，３４０が、爪先バンド３１０に、取付具３１５Ｂ，３１６Ｂ（図１０には、連結ベルト３４０側の取付具３１６Ｂの現れている。）によって固定されていることが、上述の第１の実施の形態の短下肢装具１００と異なる。
【００６１】
この第３の実施の形態では、爪先バンド３１０に取付具３１５Ｂ、３１６Ｂで固定された連結ベルト３３０，３４０の端部３３１Ａ、３４１Ａ（図１１）を、足首バンド３２０の連結リング３２５Ａ、３２６Ａに挿通させ（図１０（Ａ））、この端部３３１Ａ、３４１Ａを十分に引っ張って、面ファスナー３３３，３３４、面ファスナー３４３，３４４により密着させて、当該連結ベルト３３０，３４０で、足の裏と脛（下腿部）との角度を所望の角度に固定することができる（図１０Ｂ）。
これにより装着者の低屈動作を制限しつつ、背屈動作を装着者の意思に応じて自在にすることができる。
【００６２】
次に、本考案の第４の実施の形態について、図１２を用いて説明する。
図１２（Ａ）〜（Ｃ）に示すように、この第４の実施の形態の短下肢装具４００は、第１〜第３の実施の形態と異なり、爪先バンドを有さない構成となっている。
すなわち、この短下肢装具４００は、足首バンド４２０と、連結ベルト４３０，４４０と、靴３の甲の部分に予め取り付けられたホルダ部４１５、４１６とによって構成されている。
【００６３】
靴３にホルダ部４１５，４１６を取り付けるに当たっては、靴３の内側（親指側）と外側（小指側）の所定位置（装着者の足の親指の付け根、小指の付け根に対応）に取付穴（図１２（Ｂ）に外側の取付穴３Ａのみ図示）を設けておき、これにホルダ部の取付穴（４１６Ｃのみ図示）を合わせ、取付具（４１６側の４１６ｂ1、４１６ｂ2のみ図示）で固定すればよい。
【００６４】
そして、靴３の甲の部分に設けられたホルダ部４１５，４１６の連結リング４１５Ａ、４１６Ａを、連結ベルト４３０，４４０によって、足首バンド４２０側の連結リング４２５Ａ、４２６Ａに引き付けることによって、靴３の底と足１の脛（下腿部）の可動角度を所望の角度に制限し、もって片麻痺等を患う者の下垂足を矯正することができる。
また、連結ベルト４３０，４４０の長さを個別に調整することで、内反尖足や外反尖足の矯正をすることもできる。
また、この短下肢装具４００でも、靴３の底と足１の脛（下腿部）の角度を狭める方向への運動（背屈運動）が装着者の意思に応じて自在であるため、リハビリテーションに有用となる。
【００６５】
次に、本考案の第５の実施の形態について、図１３、図１４を用いて説明する。
図１３（Ａ）〜（Ｃ）に示すように、この第５の実施の形態の短下肢装具５００は、靴４の甲の部分にホルダ部５１５，５１６を取り付けるに当たって、爪先装着部５１０を靴４とは別個に作製しておき、これを靴４に糸５で縫い付けるようにしたものである（図１３（Ａ）、（Ｂ））。
すなわち、上述した第４の実施の形態では、ホルダ部５１５、５１６を取付ける際に靴３の内部に取付具４１５ｂ１、ｂ２が突出する構成であったが、この第５の実施の形態では、爪先装着部５１０の取付具５１５Ｂ、５１６Ｂが、靴４の内部に突出することがなくなり、装着者にとって履き心地が更に良くなる。
【００６６】
この第５の実施の形態でも、靴４の甲の部分に設けられたホルダ部５１５，５１６の連結リング５１５Ａ、５１６Ａを、図１３（Ｃ）に示す連結ベルト５３０，５４０によって、足首バンド５２０側の連結リング５２５Ａ、５２６Ａに引き付けることによって、装着時、靴４の底（甲）と足１の脛（下腿部）との可動角度を所望の角度に制限することができ、片麻痺等を患う者の下垂足を矯正することができる。また、連結ベルト５３０，５４０の長さを個別に調整することで、内反尖足や外反尖足の矯正をすることができる。
また、この短下肢装具５００でも、靴４の底と足１の脛（下腿部）の角度を狭める方向（爪先を上げる方向）の運動（背屈運動）ができるのでリハビリテーションに有用である。
【００６７】
なお、図１３では、爪先装着部５１０を糸５で縫い付けているが、図１４に示すように、靴４の甲の部分に予め接着剤６を塗布しておき（図１４（Ａ）の斜線部分）、この塗布した部分に、爪先装着部５１０を合わせて張着し、その後、糸５で縫い付けることによって、爪先装着部５１０を靴４の甲の部分に取り付けてもよい（図１４（Ｂ））。
【００６８】
次に、本考案の第６の実施の形態について、図１５を用いて説明する。
この第６の実施の形態では、第１の実施の形態の爪先バンド１１０と異なり、爪先バンド６１０の、地面と接する面（足裏側）に、接着剤等で補強板６１８が取り付けられている（図１５（Ａ））。
この補強板６１８は、耐久性の高い樹脂や、金属板で構成可能であり、このような補強板６１８を取り付けることによって、短下肢装具としての耐久性が増す。
【００６９】
この爪先バンド６１０を装着するに当たっては、靴５の靴底の所定の位置（好ましくは、親指の付け根から小指の付け根までを結ぶライン上）に予め凹部５Ｆを設けておき、爪先バンド６１０の装着時、補強板６１８を凹部５Ｆに嵌合させることで、靴５の裏側で爪先バンド６１０が突出することがなく、短下肢装具としての耐久性を更に高めることができる（図１５（Ｂ））。
【００７０】
次に、本考案の第７の実施の形態について、図１６を用いて説明する。
この図１６に示すように、第７の実施の形態の短下肢装具７００では、足首バンド７２０に、ホルダ部７２５をただ１つだけ設けるようにした点が、前述の第１の実施の形態の短下肢装具１００と異なる。
短下肢装具７００の足首バンド７２０のホルダ部７２５に設けられた取付リング７２５Ａは、２本の連結ベルト７３０，７４０を懸けるのに十分な幅を持たせる必要がある。
１つの取付けリング７２５Ａを設けた場合でも、装着者の下垂足や、内反尖足等を十分に矯正することができる。
【００７１】
次に、本考案の第８の実施の形態について、図１７を用いて説明する。
この図１７に示すように、第８の実施の形態の短下肢装具８００は、足１の甲の内側（親指側）と外側（小指側）に、連結用のホルダ部８１５、８１６を設けるに当たり、第１の実施の形態の短下肢装具１００の爪先バンド１１０に代えて、靴２の爪先部分全体を覆う壺鐙の形状をした爪先装着部８１０を用いた点が異なる。
第１の実施の形態の爪先バンド１１０に比べ、爪先を覆う壺鐙の形状をした爪先装着部８１０は形状が複雑であるものの、靴２の爪先部分での密着性が向上し、歩行訓練等のリハビリテーションがしやすくなる。
【００７２】
なお、上述の第１から第８の実施の形態では、爪先バンド、足首バンド、連結ベルト等を合成皮革で構成する例を示したが、装着時に、爪先が下がる方向への動作（低屈動作）を十分に制限することができ、かつ、背屈動作時に、装着者の意思に従って爪先を上げることが可能な、柔軟性あるものであれば、他のいかなる素材を用いてもよい。
【産業上の利用可能性】
【００７３】
本願に係る短下肢装具は、足を載せる足底板部等、足の裏（又は甲）を固定する部材を必要とせずに、足の裏（又は甲）と脛（下腿部）との角度を調整することができるため（低屈操作を制限し、背屈動作を自由にする）、その利用者は、脳血管疾患を患った者に限ることなく、例えば高齢者等、歩行時に足の爪先の上げ方が不十分となる者が利用することで、僅かな段差等につまずくような事故を未然に防止することにも役立つ。
【図面の簡単な説明】
【００７４】
【図１】第１の実施の形態に係る短下肢装具１００の全体構成を示す斜視図である。
【図２】短下肢装具１００を構成する各部材を示す図である。
【図３】短下肢装具１００の爪先バンド１１０の爪先への装着方法を示す図である。
【図４】短下肢装具１００の足首バンド１２０の足首への装着方法を示す図である。
【図５】爪先バンド１１０と足首バンド１２０とを連結ベルト１３０，１４０で連結する方法を示す図である。
【図６】短下肢装具１００によって下垂足が矯正される様子を示す図である。
【図７】短下肢装具１００によって内反尖足が矯正される様子を示す図である。
【図８】第２の実施の形態に係る短下肢装具２００の全体構成を示す斜視図である。
【図９】短下肢装具２００を構成する各部材を示す図である。
【図１０】第３の実施の形態に係る短下肢装具３００の全体構成を示す斜視図である。
【図１１】短下肢装具３００を構成する各部材を示す図である。
【図１２】第４の実施の形態に係るホルダ部４１５、４１６が取り付けられた靴３及びこれに連結される足首バンド４２０、連結ベルト４３０，４４０を示す斜視図である。
【図１３】第５の実施の形態に係る短下肢装具５００及び当該爪先装着部５１０の取り付け方法を示す斜視図である。
【図１４】第５の実施の形態に係る短下肢装具５００及び当該爪先装着部５１０の他の取り付け方法を示す斜視図である。
【図１５】第６の実施の形態に係る爪先バンド６１０及び爪先バンド６１０の装着の方法を示す斜視図である。
【図１６】第７の実施の形態に係る短下肢装具７００の全体構成を示す斜視図である。
【図１７】第８の実施の形態に係る短下肢装具８００の全体構成を示す斜視図である。
【図１８】従来の樹脂性の短下肢装具１０を示す図である。
【符号の説明】
【００７５】
２，３，４，５，６  靴
１００，２００，３００，４００，５００，６００，７００，８００  短下肢装具
１１０，２１０，３１０，４１０，５１０，６１０，７１０，８１０  爪先バンド（爪先装着部）
１２０，２２０，３２０，４２０，５２０，６２０，７２０，８２０  足首バンド（足首装着部）
１３０，２３０，３３０，４３０，５３０，６３０，７３０，８３０  連結ベルト（連結手段）
１４０，２４０，３４０，４３０，５３０，６３０，７３０，８３０  連結ベルト（連結手段）
【図１】
0003217189.tif 000003
【図２】
0003217189.tif 000004
【図３】
0003217189.tif 000005
【図４】
0003217189.tif 000006
【図５】
0003217189.tif 000007
【図６】
0003217189.tif 000008
【図７】
0003217189.tif 000009
【図８】
0003217189.tif 000010
【図９】
0003217189.tif 000011
【図１０】
0003217189.tif 000012
【図１１】
0003217189.tif 000013
【図１２】
0003217189.tif 000014
【図１３】
0003217189.tif 000015
【図１４】
0003217189.tif 000016
【図１５】
0003217189.tif 000017
【図１６】
0003217189.tif 000018
【図１７】
0003217189.tif 000019
【図１８】
0003217189.tif 000020